(57)【要約】【課題】イベント情報に関連したコメントを付加してデータベースに蓄積することのできるプラント監視装置を提供する。【解決手段】監視対象プラントから監視データを取得する入力装置１１，１２，１３と、前記取得した監視データの変化量をもとに監視対象プラントの状態変化を検出したとき、該プラントの状態変化の内容、状態変化の発生時刻、及び識別情報をイベント情報として取得する監視用計算機２１，２２，２３と、前記イベント情報を順次格納するデータベース３と、前記データベースに所定期間毎にアクセスして未取得のイベント情報の有無を判断し、未取得のイベント情報が存在するとき、該未取得のイベント情報を取得して表示装置７に表示するプリンタサーバ４と、前記表示装置７の表示内容を利用者の指定したタイミングで印刷出力するプリンタ５を備えたプラント監視装置であって、前記プリンタサーバ４は、前記イベント情報のそれぞれに対してコメントを入力することのできる入力手段６を備えた。【選択図】  図１
2005050274.tif 000002
【特許請求の範囲】
【請求項１】
監視対象プラントから監視データを取得する入力装置と、
前記取得した監視データの変化量をもとに監視対象プラントの状態変化を検出したとき、該プラントの状態変化の内容、状態変化の発生時刻、及び識別情報をイベント情報として取得する監視用計算機と、
前記イベント情報を順次格納するデータベースと、
前記データベースに所定期間毎にアクセスして未取得のイベント情報の有無を判断し、未取得のイベント情報が存在するとき、該未取得のイベント情報を取得して表示装置に表示するプリンタサーバと、
前記表示装置の表示内容を利用者の指定したタイミングで印刷出力するプリンタを備えたプラント監視装置であって、
前記プリンタサーバは、前記イベント情報のそれぞれに対してコメントを入力することのできる入力手段を備えたことを特徴とするプラント監視装置。
【請求項２】
請求項１記載のプラント監視装置において、前記入力装置及び前記入力装置からの監視データを取得する監視用計算機は、監視機能毎に複数組備えたことを特徴とするプラント監視装置。
【請求項３】
監視対象プラントから監視データを取得する入力装置と、
前記取得した監視データの変化量をもとに監視対象プラントの状態変化を検出したとき、該プラントの状態変化の内容、状態変化の発生時刻、及び識別情報をイベント情報として取得する監視用計算機と、
前記イベント情報を順次格納するデータベースと、
前記データベースに所定期間毎にアクセスして未取得のイベント情報の有無を判断し、未取得のイベント情報が存在するとき、該未取得のイベント情報を取得して表示装置に表示するプリンタサーバと、
前記表示装置の表示内容を利用者の指定したタイミングで印刷出力するプリンタを備えたプラント監視装置を用いたプラント監視記録方法であって、
前記プリンタサーバは、前記イベント情報のそれぞれに対してコメントを入力する入力手段を備え、該手段を介して前記イベント毎にコメントを入力することを特徴とするプラント監視装置を用いたプラント監視記録方法。
【請求項４】
請求項３記載のプラント監視装置を用いたプラント監視記録方法において、前記入力装置及び前記入力装置からの監視データを取得する監視用計算機は、監視機能毎に複数組備えたことを特徴とするプラント監視装置を用いたプラント監視記録方法。
【発明の詳細な説明】
【技術分野】
【０００１】
本発明は、プラント監視装置及びプラント監視装置を用いたプラント監視記録方法にかかり、特にプラント監視中に取得したイベント情報に対してコメントを入力するすることのできるプラント監視装置及びプラント監視装置を用いたプラント監視記録方法に関する。
【背景技術】
【０００２】
例えば、特許文献１には、プラントから検出したプラントデータをデータスキャン手段を介して読み込み、読み込んだプラントデータをプラントデータテーブルに保存すること、保存したプラントデータにおける所定値以上の状態変化の有無、あるいは前記状態変化が正常範囲内か否かを判定し、状態変化のあるデータ（状態変化データ）を表示装置に表示することが示されている。
【０００３】
また、状態変化データを時系列に状態変化履歴データテーブルに保存し、保存したデータを表示要求入力手段から表示要求をもとに表示装置に表示すること、及び前記状態変化データをその発生時刻とともに前記状態変化履歴データテーブルに保存すること、さらに印字要求入力手段からの印字要求をもとに、前記状態変化履歴データの指定した範囲を印字出力することが示されている。
【特許文献１】特開平７−２１０２４４号公報
【発明の開示】
【発明が解決しようとする課題】
【０００４】
前記従来技術によれば、状態変化データを時系列に保存し、オペレータの要求により表示装置に表示するので、オペレータは容易に履歴データを参照することができる。また、状態変化履歴データテーブルから印字出力したい履歴情報を編集し、所望のタイミングおよび所望のフォーマットで印字することができることも示されている。
【０００５】
しかしながら、前記履歴データは、状態変化データにおける状態変化の有無、あるいは状態変化が正常範囲内か否かを記録するものである。このため、後日、前記状態変化データを参照しても、前記状態変化の発生原因あるいは前記状態変化が発生したときの状況等を確認することはできない。
【０００６】
本発明は、これらの問題点に鑑みてなされたもので、状態変化に対応してイベント情報を生成し、生成したイベント情報、すなわち監視対象の状態変化等の事象に対し、該イベント情報に関連したコメントを付加してデータベースに蓄積し、あるいは印字することのできるプラント監視装置及びプラント監視装置を用いたプラント監視記録方法を提供する。
【課題を解決するための手段】
【０００７】
本発明は上記課題を解決するため、次のような手段を採用した。
【０００８】
監視対象プラントから監視データを取得する入力装置と、前記取得した監視データの変化量をもとに監視対象プラントの状態変化を検出したとき、該プラントの状態変化の内容、状態変化の発生時刻、及び識別情報をイベント情報として取得する監視用計算機と、前記イベント情報を順次格納するデータベースと、前記データベースに所定期間毎にアクセスして未取得のイベント情報の有無を判断し、未取得のイベント情報が存在するとき、該未取得のイベント情報を取得して表示装置に表示するプリンタサーバと、前記表示装置の表示内容を利用者の指定したタイミングで印刷出力するプリンタを備えたプラント監視装置であって、前記プリンタサーバは、前記イベント情報のそれぞれに対してコメントを入力することのできる入力手段を備えた。
【発明の効果】
【０００９】
本発明は、以上の構成を備えるため、イベント情報に対し、該イベント情報に関連したコメントを付加した状態で蓄積し、あるいは印字することのできるプラント監視装置及びプラント監視装置を用いたプラント監視記録方法を提供することができる。
【発明を実施するための最良の形態】
【００１０】
以下、最良の実施形態を添付図面を参照しながら説明する。図１は、本実施形態にかかるプラント監視装置を説明する図である。図において、１は、例えば発電プラント等の監視対象プラントであり、監視対象プラント１は、例えばボイラ、タービン、発電機等の複数の監視対象プラント機器を備え、各監視対象プラント機器はそれぞれ該機器の状態変化を検出するための複数の入力機器（センサ）１１，１２，１３を備える。
【００１１】
２はプラント監視用の計算機であり、プラント監視用の計算機２は、例えば監視対象機器毎に複数台備える。それぞれのプラント監視用計算機２１，２２，２３は接続線１５を介してそれぞれ入力機器１１，１２，１３から監視データを取得し、取得した監視データに所定値以上の状態変化が存在する場合には、この監視データにその発生時刻（例えば、「日、時、分、秒」で記録）、変化内容（例えば「給水ポンプ起動」等）及び識別情報を付加してイベント情報を生成し、生成したイベント情報をデータベース３に格納する。なお、前記識別情報は、例えば監視データを検出した入力機器の識別情報をもとに生成することができる。
【００１２】
３はイベント情報を格納するデータベースであり、前記イベント情報及び後述するコメントを格納する。４はプリンタサーバであり、例えば予め設定した間隔でデータベース３にアクセスして前記イベント情報を読み込む。５はプリンタ、６はキーボード等の入力装置、７は表示装置である。
【００１３】
プリンタサーバ４は、データベース３にアクセスして前記イベント情報を順次読み込み、読み込んだイベント情報を順次表示装置７に表示する。また、プリンタサーバ４は新たなイベント情報を読み込み、該読み込んだ情報を表示する際にはその旨の情報を付して表示することができる。
【００１４】
プラント監視装置の利用者（運転員）は、表示装置に表示したイベント情報に対して前記入力装置６を操作してコメントを入力することができる。入力するコメントの内容は任意であるが、例えば、前述のように給水ポンプが起動した場合には起動した理由、プラント機器が異常発報した場合はその理由、運転員のプラント機器操作内容、システム異常の発生原因等を入力する。また、入力したコメント及び前記イベント情報は表示装置７に表示する。この際、前記コメント及び前記イベント情報はプリンタによる出力形式と同様の形式で表示する。また、前記識別情報等の特定の情報を非表示とすることができる。なお、前記入力したコメントは前記イベント情報と共にデータベース３に格納しておく。
【００１５】
５はプリンタである。プリンタ５は運転員が前記入力装置を介して印刷を要求したとき、前記表示装置７に表示している情報を印字する。なお、予め設定した間隔でデータベースを検索して未印字データを取得し、取得した未印字データを例えば頁単位で印字することができる。
【００１６】
図２は、監視用計算機２の処理を説明する図である。まず、ステップ１１において、それぞれのプラント監視用の計算機２１，２２，２３は、それぞれが監視するプラント機器の入力装置（センサ）から監視データを取得し、取得した監視データに所定値以上の状態変化が存在するか否かを判定する。所定値以上の状態変化が存在する場合にはイベントが発生したと判定してステップ１２に進む。
【００１７】
ステップ１２において、前記状態変化の内容、状態変化の発生時刻をもとにイベント情報を生成する。なお、この際、例えば監視データにより状態変化を検出した入力機器をもとに識別情報を生成し、生成した識別情報をイベント情報に付加する。
【００１８】
ステップ１３において、前記生成したイベント情報をデータベース３に登録する。
【００１９】
図３は、プリンタサーバの表示処理を説明する図である。まず、ステップ２１において、予め設定した検索時期が到来したか否かを判定し、検索時期が到来した場合にはステップ２２に進み、そうでない場合は再度ステップ２１に戻る。ステップ２２において、データベース３を検索し、データベース３に新たなイベントが登録されているか否かを判定する。ステップ２３において、新たなイベントが登録されている場合にはステップ２４に進み、そうでない場合にはステップ２１に戻る。ステップ２４において、前記新たなイベントを表示画面に表示して表示画面を更新する。
【００２０】
図４は、プリンタサーバによるコメント入力処理を説明する図である。まず、ステップ３１において、データベース３を検索し、コメントを入力すべきイベント情報あるいはコメント未入力のイベント情報を選択し、選択した情報を、例えば表示装置７の表示画面に時系列に一覧表示する。次いで、運転員は一覧表示の中からコメントを入力すべきイベント情報を選択し、選択したイベント情報に対してコメントを入力する。
【００２１】
ステップ３２において、コメントを入力したイベント情報をデータベース３に登録する。
【００２２】
図５は、データベース３に格納したイベント情報の構成を説明する図である。図において、４１はイベントの発生順に付した連番、４２はイベントの発生時刻、４３はイベントの識別番号、４４はイベントの内容、４５は運転員が前記イベントの内容に関連して入力したコメントである。
【００２３】
以上説明したように、本実施形態によれば、監視用計算機は、監視対象プラントから監視データを取得し、取得した監視データの変化量をもとに監視対象プラントの状態変化を検出したとき、該プラントの状態変化の内容、状態変化の発生時刻、及び識別情報をイベント情報として取得して順次データベースに格納することができる。また、プリンタサーバは表示装置及び入力装置を備え、更に該プリンタサーバは、前記データベースに所定期間毎にアクセスして未取得のイベント情報の有無を判断し、未取得のイベント情報が存在するとき、該未取得のイベント情報を前記表示装置に表示する。このため、運転員は未取得のイベント情報を容易に監視することが可能となる。また、未取得のイベント情報に対するコメントを入力し、入力したコメントを前記イベント情報と共に前記データベースに格納することができる。更に、前記データベースに格納した前記コメントを含むイベント情報は、例えば前記表示装置に表示した頁単位でプリンタ５により印字出力することができる。
【００２４】
このため、前記データベースに格納したイベント情報、あるいは印字出力したイベント情報を参照するのみで、前記イベント情報の発生した理由等の情報を容易に取得することができる。
【図面の簡単な説明】
【００２５】
【図１】本実施形態にかかるプラント監視装置を説明する図である。
【図２】監視用計算機２の処理を説明する図である。
【図３】プリンタサーバの表示処理を説明する図である。
【図４】プリンタサーバによるコメント入力処理を説明する図である。
【図５】データベース３に格納したイベント情報の構成を説明する図である。
【符号の説明】
【００２６】
１  監視対象プラント
１１，１２，１３  入力装置（センサ）
１５  接続線
２、２１，２２，２３  監視用計算機
３  データベース
４  プリンタサーバ
５  プリンタ
６  入力装置
７  表示装置
【図１】
2005050274.tif 000003
【図２】
2005050274.tif 000004
【図３】
2005050274.tif 000005
【図４】
2005050274.tif 000006
【図５】
2005050274.tif 000007